(57)【要約】【課題】ケーブル取付け部が端面に設けられた電子機器をパネルに固定することが可能でかつ複数の電子機器を側面同士が近接するように並べてパネルに固定することが可能な電子機器取付け具およびそれを備えたセンサ装置を提供する。【解決手段】電子機器取付け具１００は、互いに対向する１対の側面部１２０ａ，１２０ｂおよび１対の連結部１３０ａ，１３０ｂを有する。側面部１２０ａの一端側には、弾力性および可撓性を有する係合部１１０ａが設けられ、側面部１２０ａの他端側には、開口部１２１ｂが形成されている。側面部１２０ｂの一端側には、開口部１２１ａが形成され、側面部１２０ｂの他端側には、弾力性および可撓性を有する係合部１１０ｂが設けられている。可撓性を有する当接部１２２がそれぞれ側面部１２０ａ，１２０ｂの両端から広がるように設けられている。【選択図】        図１
2004342994.tif 000002
【特許請求の範囲】
【請求項１】
前面、背面、１対の側面および１対の端面を有するとともに、前面縁部にフランジを有する電子機器を、パネルに形成された開口にパネルの前面側から挿入し、前記電子機器の前面縁部のフランジを前記パネルの開口縁部の前面に当接させた状態で、前記電子機器を前記パネルの背面側から固定するための取付け具であって、
前記電子機器の前記１対の側面に対向する第１および第２の側面部と、
前記電子機器を内側に収納可能に前記第１および第２の側面部を互いに連結する第１および第２の連結部とを備え、
前記第１の側面部に、前記電子機器の一側面に係合可能な可撓性の第１の係合部が設けられ、
前記第２の側面部において前記第１の係合部に対向する領域に第１の開口部が設けられ、
前記第１および第２の連結部の各々の外側において前記パネルの背面に当接する当接部がそれぞれ設けられたことを特徴とする電子機器取付け具。
【請求項２】
前記当接部は、前記第１および第２の側面部の各々の両端にそれぞれ設けられた請求項１記載の電子機器取付け具。
【請求項３】
前記第１および第２の連結部は、前記電子機器の両端面に沿ってそれぞれ設けられ、前記第１および第２の連結部の少なくとも一方は開口領域を有することを特徴とする請求項２記載の電子機器取付け具。
【請求項４】
前記第１および第２の側面部、前記第１および第２の連結部ならびに前記当接部は一体的に形成されたことを特徴とする請求項１〜３のいずれかに記載の電子機器取付け具。
【請求項５】
前記第２の側面部に、前記電子機器の他側面に係合可能な可撓性の第２の係合部が設けられ、
前記第１の側面部において前記第２の係合部に対向する領域に第２の開口部が設けられたことを特徴とする請求項１〜４のいずれかに記載の電子機器取付け具。
【請求項６】
開口を有するパネルに取付け可能なセンサ装置であって、
前面、背面、１対の側面および１対の端面を有するとともに、前面縁部にフランジを有するセンサと、
前記センサを前記パネルの開口にパネルの前面側から挿入し、前記センサの前面縁部のフランジを前記パネルの開口縁部の前面に当接させた状態で、前記センサを前記パネルの背面側から固定するための取付け具とを備え、
前記取付け具は、
前記センサの前記１対の側面に対向する第１および第２の側面部と、
前記センサを内側に収納可能に前記第１および第２の側面部を互いに連結する第１および第２の連結部とを備え、
前記第１の側面部に、前記センサの一側面に係合可能な可撓性の第１の係合部が設けられ、
前記第２の側面部において前記第１の係合部に対向する領域に第１の開口部が設けられ、
前記第１および第２の側面部の各々の両端に前記パネルの背面に当接する当接部がそれぞれ設けられたことを特徴とするセンサ装置。
【請求項７】
前記センサは、前記一対の端面のうち少なくとも一方にケーブルを着脱可能なケーブル取付け部を有し、
前記ケーブル取付け部に対向する前記取付け具の前記第１または第２の連結部は、ケーブルが通過可能な開口領域を有することを特徴とする請求項６記載のセンサ装置。
【請求項８】
前記第２の側面部に、前記センサの他側面に係合可能な可撓性の第２の係合部が設けられ、
前記第１の側面部において前記第２の係合部に対向する領域に第２の開口部が設けられたことを特徴とする請求項６または７記載のセンサ装置。
【発明の詳細な説明】
【０００１】
【発明の属する技術分野】
本発明は、電子機器をパネルに固定するための電子機器取付け具およびそれを備えたセンサ装置に関する。
【０００２】
【従来の技術】
従来より、表示部を備えたセンサ本体等の電子機器を制御パネル、操作パネル、計器パネル等の種々のパネル（盤）に取り付けるために種々の取付け具が用いられている（例えば、特許文献１参照）。
【０００３】
この場合、前面縁部にフランジを有する電子機器を、パネルに形成された開口にパネルの前面側から挿入し、電子機器の前面縁部のフランジをパネルの開口縁部の前面に当接させた状態で、取付け具を用いて電子機器をパネルの背面側から固定する。
【０００４】
例えば、電子機器の両側面または両端面には、取付け具を掛止するための掛止孔が設けられている。これらの掛止孔に取付け具をそれぞれ掛止させ、取付け具の押圧部と電子機器のフランジとでパネルの開口縁部を挟み込むことにより、電子機器をパネルに固定する。
【０００５】
【特許文献１】
特開２００２−１６３７７号公報
【０００６】
【発明が解決しようとする課題】
パネルの開口に複数の電子機器を側面同士が隣接するように並べて取り付ける場合がある。このような場合、各電子機器の端面からケーブルが引き出されていると、端面に取付け具を掛止させることができない。また、各電子機器の側面からケーブルが引き出されていると、複数の電子機器を密着させて取り付けることができない。そのため、ケーブルを各電子機器の背面から引き出すことが必要となる。
【０００７】
本発明の目的は、電子機器をパネルに固定することが可能でかつ複数の電子機器を側面同士が近接するように並べてパネルに固定することが可能な電子機器取付け具を提供することである。
【０００８】
本発明の他の目的は、ケーブル取付け部が端面に設けられた電子機器をパネルに固定することが可能でかつ複数の電子機器を側面同士が近接するように並べてパネルに固定することが可能な電子機器取付け具およびそれを備えたセンサ装置を提供することである。
【０００９】
【課題を解決するための手段および発明の効果】
本発明に係る電子機器取付け具は、前面、背面、１対の側面および１対の端面を有するとともに、前面縁部にフランジを有する電子機器を、パネルに形成された開口にパネルの前面側から挿入し、電子機器の前面縁部のフランジをパネルの開口縁部の前面に当接させた状態で、電子機器をパネルの背面側から固定するための取付け具であって、電子機器の１対の側面に対向する第１および第２の側面部と、電子機器を内側に収納可能に第１および第２の側面部を互いに連結する第１および第２の連結部とを備え、第１の側面部に、電子機器の一側面に係合可能な可撓性の第１の係合部が設けられ、第２の側面部において第１の係合部に対向する領域に第１の開口部が設けられ、第１および第２の連結部の各々の外側においてパネルの背面に当接する当接部がそれぞれ設けられたものである。
【００１０】
本発明に係る電子機器取付け具においては、電子機器の一側面に係合可能な可撓性の第１の係合部が電子機器取付け具の第１の側面部に設けられ、第２の側面部において第１の係合部に対向する領域に第１の開口部が設けられている。それにより、電子機器を着脱するために可撓性を有する第１の係合部を湾曲させる場合に、第１の係合部の湾曲側に第１の開口部による空間が確保される。そのため、第１の係合部は大きく湾曲することができる。それにより、電子機器取付け具を電子機器に容易に取り付けることができるとともに、電子機器取付け具を電子機器から容易に取り外すことができる。
【００１１】
当接部は、第１および第２の側面部の各々の両端にそれぞれ設けられてもよい。この場合、ケーブル取り付け部が端面に設けられた電子機器をパネルに固定することが可能となる。
【００１２】
また、当接部がパネルの背面に当接し、パネルの背面を押圧することにより、電子機器をパネルに強固に固定することができる。
【００１３】
第１および第２の連結部は、電子機器の両端面に沿ってそれぞれ設けられ、第１および第２の連結部の少なくとも一方は開口領域を有してもよい。
【００１４】
この場合、第１および第２の連結部の少なくとも一方が開口領域を有するので、ケーブルを開口領域を通して引き出すことができる。したがって、端面にケーブル取付け部を備えた電子機器をパネルに固定することが可能となる。
【００１５】
第１および第２の側面部、第１および第２の連結部ならびに当接部は一体的に形成されてもよい。それにより、電子機器取付け具の部品点数を削減することができる。これにより、コスト削減を図ることができる。
【００１６】
第２の側面部に、電子機器の他側面に係合可能な可撓性の第２の係合部が設けられ、第１の側面部において第２の係合部に対向する領域に第２の開口部が設けられてもよい。
【００１７】
この場合、電子機器の一側面に係合可能な可撓性の第２の係合部が電子機器取付け具の第２の側面部に設けられ、第１の側面部において第２の係合部に対向する領域に第２の開口部が設けられている。それにより、電子機器を着脱するために可撓性を有する第２の係合部を湾曲させる場合に、第２の係合部の湾曲側に第２の開口部による空間が確保される。そのため、第２の係合部は大きく湾曲することができる。それにより、電子機器取付け具を電子機器にさらに容易に取り付けることができるとともに、電子機器取付け具を電子機器からさらに容易に取り外すことができる。
【００１８】
また、第１の係合部および第２の係合部が対角位置に設けられ、第１の開口部および第２の開口部も対角位置に設けられることにより、複数の電子機器を互いに近接させてパネルに固定する場合においても、電子機器の着脱を容易に行うことができる。
【００１９】
本発明に係るセンサ装置は、開口を有するパネルに取付け可能なセンサ装置であって、前面、背面、１対の側面および１対の端面を有するとともに、前面縁部にフランジを有するセンサと、センサをパネルの開口にパネルの前面側から挿入し、センサの前面縁部のフランジをパネルの開口縁部の前面に当接させた状態で、センサをパネルの背面側から固定するための取付け具とを備え、取付け具は、センサの１対の側面に対向する第１および第２の側面部と、センサを内側に収納可能に第１および第２の側面部を互いに連結する第１および第２の連結部とを備え、第１の側面部に、センサの一側面に係合可能な可撓性の第１の係合部が設けられ、第２の側面部において第１の係合部に対向する領域に第１の開口部が設けられ、第１および第２の側面部の各々の両端にパネルの背面に当接する当接部がそれぞれ設けられたものである。
【００２０】
本発明に係るセンサ装置においては、センサの一側面に係合可能な可撓性の第１の係合部が取付け具の第１の側面部に設けられ、第２の側面部において第１の係合部に対向する領域に第１の開口部が設けられている。それにより、センサを着脱するために可撓性を有する第１の係合部を湾曲させる場合に、第１の係合部の湾曲側に第１の開口部による空間が確保される。そのため、第１の係合部は大きく湾曲することができる。それにより、取付け具をセンサに容易に取り付けることができるとともに、取付け具をセンサから容易に取り外すことができる。
【００２１】
また、当接部がパネルの背面に当接し、パネルの背面を押圧することにより、センサをパネルに強固に固定することができる。
【００２２】
センサは、一対の端面のうち少なくとも一方にケーブルを着脱可能なケーブル取付け部を有し、ケーブル取付け部に対向する取付け具の第１または第２の連結部は、ケーブルが通過可能な開口領域を有してもよい。
【００２３】
この場合、第１および第２の連結部の少なくとも一方が開口領域を有するので、ケーブルを開口領域を通して引き出すことができる。したがって、端面にケーブル取付け部を備えたセンサをパネルに容易に固定することが可能となる。
【００２４】
第２の側面部に、センサの他側面に係合可能な可撓性の第２の係合部が設けられ、第１の側面部において第２の係合部に対向する領域に第２の開口部が設けられてもよい。
【００２５】
この場合、センサの他側面に係合可能な可撓性の第２の係合部が取付け具の第２の側面部に設けられ、第１の側面部において第２の係合部に対向する領域に第２の開口部が設けられている。それにより、センサを着脱するために可撓性を有する第２の係合部を湾曲させる場合に、第２の係合部の湾曲側に第２の開口部による空間が確保される。そのため、第２の係合部は大きく湾曲することができる。それにより、取付け具をセンサにさらに容易に取り付けることができるとともに、取付け具をセンサからさらに容易に取り外すことができる。
【００２６】
また、第１の係合部および第２の係合部が対角位置に設けられ、第１の開口部および第２の開口部も対角位置に設けられることにより、複数のセンサを互いに近接させてパネルに固定する場合においても、センサの着脱を容易に行うことができる。
【００２７】
【発明の実施の形態】
以下、本発明に係る実施の形態について図面を参照しながら説明する。
【００２８】
図１（ａ）は本実施の形態に係る電子機器取付け具の斜視図である。図１（ｂ）は図１（ａ）の電子機器取付け具における係合部の縦断面図である。ここで、水平面内で直交する３方向をＸ方向、Ｙ方向およびＺ方向とする。
【００２９】
図１（ａ）に示すように、電子機器取付け具１００は、互いに対向する１対の側面部１２０ａ，１２０ｂおよび１対の連結部１３０ａ，１３０ｂを有する。側面部１２０ａ，１２０ｂは、Ｘ方向およびＹ方向を含む面に沿って配置され、両端がＺ方向に延びる連結部１３０ａ，１３０ｂにより互いに連結されている。
【００３０】
側面部１２０ａの一端側には、弾力性および可撓性を有する係合部１１０ａが設けられ、側面部１２０ａの他端側には、開口部１２１ｂが形成されている。側面部１２０ｂの一端側には、開口部１２１ａが形成され、側面部１２０ｂの他端側には、弾力性および可撓性を有する係合部１１０ｂが設けられる。係合部１１０ａは開口部１２１ａに対向し、係合部１１０ｂは開口部１２１ｂに対向する。
【００３１】
また、Ｘ方向およびＹ方向を含む面に沿って延びる可撓性を有する当接部１２２がそれぞれ側面部１２０ａの両端から広がるように設けられている。また、Ｘ方向およびＹ方向を含む面に沿って延びる可撓性を有する当接部１２２がそれぞれ側面部１２０ｂの両端から広がるように設けられている。各当接部１２２の先端は、側面部１２０ａの前端よりも前に突出するように形成されている。電子機器取付け具１００の連結部１３０ａ，１３０ｂには、それぞれ開口領域１２３が形成されている。
【００３２】
係合部１１０ａ，１１０ｂは、後述のセンサ本体部２００の側面と係合する。また、当接部１２２は、パネルの背面に当接する。
【００３３】
電子機器取付け具１００において、係合部１１０ａおよび係合部１１０ｂは対角位置に設けられており、開口部１２１ａおよび開口部１２１ｂは対角位置に設けられている。
【００３４】
以上の構成により、電子機器取付け具１００は、後述するセンサ本体部２００を電子機器取付け具１００の内側に収納することができる。
【００３５】
なお、係合部１１０ａは、矢印Ｌの方向およびその逆方向に弾性力を有し、係合部１１０ｂは、矢印Ｍの方向およびその逆方向に弾性力を有する。また、この電子機器取付け具１００は、プラスチック等の可撓性を有する合成樹脂により一体的に形成されている。
【００３６】
図１（ｂ）に示すように、係合部１１０ａは、端部に突出部１１１を有し、内側の所定の位置に係合突起１１２を有する。係合部１１０ｂの構成も係合部１１０ａの構成と同様である。
【００３７】
突出部１１１は、係合部１１０ａの先端部に設けられており、断面三角形状からなる。突出部１１１の一面には、複数の溝が形成されている。この複数の溝により、作業者は、後述のセンサ本体部２００から電子機器取付け具１００を容易に取り外すことができる。
【００３８】
図２は図１の電子機器取付け具を用いてセンサ本体部をパネルに固定する方法を示す斜視図である。
【００３９】
図２に示すように、センサ本体部２００は、前面２０２、背面２０３、１対の側面２０４、１対の端面２０５、ケーブル取付け部２０６、フランジ２０７および１対の係合溝２０８を有する。センサ本体部２００は、ケーブルによりセンサヘッド（図示せず）に接続される。センサ本体部２００およびセンサヘッドにより分離型センサが構成される。
【００４０】
各係合溝２０８は、各側面２０４上において電子機器取付け具１００の係合部１１０ａまたは係合部１１０ｂに対向する位置に設けられている。これにより、電子機器取付け具１００の係合部１１０ａ，１１０ｂの各々がセンサ本体部２００の各係合溝２０８に係合する。なお、係合部１１０ａ，１１０ｂが各係合溝２０８に係合する方法については後述する。
【００４１】
ケーブル取付け部２０６は、各端面２０５上に設けられている。パネル３００は開口３０１を有する。開口３０１は、センサ本体部２００のパネル３００への固定のために、センサ本体部２００を挿入可能な最小限の大きさを有する。
【００４２】
また、センサ本体部２００の前面２０２の縁部にはフランジ２０７が設けられている。センサ本体部２００は、パネル３００の前面側から矢印Ｐで示すように開口３０１に挿入され、電子機器取付け具１００は、パネル３００の背面側から矢印Ｑで示すようにセンサ本体部２００に取り付けられる。
【００４３】
この場合、電子機器取付け具１００の連結部１３０ａ，１３０ｂがそれぞれ開口領域１２３を有することにより、センサ本体部２００に電子機器取付け具１００が取り付けられた場合でも、ケーブル取付け部２０６に開口領域１２３を通してケーブルを接続することができる。
【００４４】
なお、本実施の形態においては、センサ本体部２００の各端面２０５にそれぞれケーブル取付け部２０６を設けているが、これに限定されるものではなく、一方の端面２０５のみにケーブル取付け部２０６を設けてもよい。
【００４５】
図３（ａ）は図２のセンサ本体部が電子機器取付け具によりパネルに固定された状態を示す平面図である。図３（ｂ）は図３（ａ）のＡ−Ａ線断面図である。なお、図３（ｂ）のＡ−Ａ線断面図では、係合部１１０ａと係合溝２０８との係合部分を除き、一部図示が省略されている。
【００４６】
図３（ａ）に示すように、ケーブル５００は、コネクタ４００を介してセンサ本体部２００に設けられたケーブル取付け部２０６に接続されている。
【００４７】
当接部１２２は、側面部１２０ａの前端よりも前に突出するように形成されていることにより、側面部１２０ａの前端がパネル３００に当接した状態において、当接部１２２はパネル３００により押し広げられる。すなわち、当接部１２２は、その弾性力によりパネル３００の背面を矢印Ｗの方向に押圧する。
【００４８】
また、図３（ｂ）に示すように、センサ本体部２００の係合溝２０８に、係合部１１０ａの係合突起１１２が係合することにより、センサ本体部２００のフランジ２０７と電子機器取付け具１００の側面部１２０ａの前端との間にパネル３００が挟み込まれた状態で電子機器取付け具１００がセンサ本体部２００に固定される。これにより、センサ本体部２００がパネル３００に強固に固定される。
【００４９】
なお、本実施の形態においては、係合溝２０８が複数の溝部を有することにより、パネル３００の厚さにかかわらず、係合突起１１２を係合溝２０８に係合させることができる。
【００５０】
図４（ａ）は複数のセンサ本体部を互いに近接させて縦方向に並べてパネルに固定した状態を前面側から見た斜視図である。図４（ｂ）は複数のセンサ本体部を互いに近接させて縦方向に並べてパネルに固定した状態を背面側から見た斜視図である。本例では、複数のセンサ本体部２００がパネル３００の１つの開口内に取り付けられている。
【００５１】
図４（ａ）に示すように、センサ本体部２００の前面には、表示部２０１、モードボタン２１１および調整スイッチ２１２が設けられる。調整スイッチ２１２は、上スイッチ２１２ａおよび下スイッチ２１２ｂからなる。
【００５２】
表示部２０１には、測定値等の各種の値が７セグメントＬＥＤ（発光ダイオード）、液晶表示器等を用いて表示される。モードボタン２１２は、例えば各種の動作モードの選択時に操作される。また、調整スイッチ２１２は、各種の値を設定する際に操作される。
【００５３】
図４（ｂ）に示すように、各センサ本体部２００が各電子機器取付け具１００によってパネル３００に固定されている。
【００５４】
ここで、センサ本体部２００の着脱時においては、各電子機器取付け具１００の係合部１１０ａを矢印Ｌの方向に湾曲させる。この場合、各電子機器取付け具１００の係合部１１０ａの湾曲側に他の各電子機器取付け具１００の開口部１２１ａによる空間が確保されているため、係合部１１０ａは大きく湾曲することができる。同様に、各電子機器取付け具１００係合部１１０ｂを矢印Ｍの方向に湾曲させる。この場合、各電子機器取付け具１００の係合部１１０ｂの湾曲側に他の各電子機器取付け具１００の開口部１２１ｂによる空間が確保されているため、係合部１１０ｂは大きく湾曲することができる。
【００５５】
それにより、各電子機器取付け具１００をセンサ本体部２００に容易に取り付けることができるとともに、各電子機器取付け具１００をセンサ本体部２００から容易に取り外すことができる。
【００５６】
上記のように、本実施の形態においては、係合部１１０ａおよび係合部１１０ｂがそれぞれ電子機器取付け具１００の側面部１２０ａおよび側面部１２０ｂに設けられていることにより、端面２０５にケーブル取付け部２０６を備えたセンサ本体部２００をパネル３００に固定することが可能となる。
【００５７】
また、端面２０５にケーブル取付け部２０６を備えた複数のセンサ本体部２００を互いに近接させてパネル３００に固定することが可能となる。
【００５８】
さらに、係合部１１０ａおよび係合部１１０ｂが対角位置に設けられ、開口部１２１ａおよび開口部１２１ｂも対角位置に設けられていることにより、複数のセンサ本体部２００を互いに近接させてパネル３００に固定する場合においても、センサ本体部２００の着脱を容易に行うことができる。
【００５９】
また、パネル３００にセンサ本体部２００を強固に固定するための電子機器取付け具１００が一体的に形成されていることにより、電子機器取付け具１００の部品点数を削減することができる。それにより、コスト削減を図ることができる。
【００６０】
なお、本実施の形態においては、センサ本体部２００の両端面２０５にケーブル５００が接続される場合を説明したが、これに限定されるものではなく、センサ本体部２００の一方の端面２０５にケーブル５００が接続される場合にも、同様の効果を得ることができる。
【００６１】
また、本実施の形態に係る電子機器取付け具１００は、センサ本体部２００に限らず、フランジを有する種々の電子機器をパネルに固定するために用いることができる。
【００６２】
本実施の形態においては、側面部１２０ａが第１の側面部に相当し、側面部１２０ｂが第２の側面部に相当し、係合部１１０ａが第１の係合部に相当し、係合部１１０ｂが第２の係合部に相当し、開口部１２１ａが第１の開口部に相当し、開口部１２１ｂが第２の開口部に相当する。
【００６３】
また、連結部１３０ａが第１の連結部に相当し、連結部１３０ｂが第２の連結部に相当し、センサ本体部２００が電子機器およびセンサに相当し、パネル３００がパネルに相当する。
【図面の簡単な説明】
【図１】本実施の形態に係る電子機器取付け具の斜視図および電子機器取付け具における係合部の縦断面図である。
【図２】図１の電子機器取付け具を用いてセンサ本体部をパネルに固定する方法を示す斜視図である。
【図３】図２のセンサ本体部が電子機器取付け具によりパネルに固定された状態を示す平面図およびＡ−Ａ線断面図である。
【図４】複数のセンサ本体部を互いに近接させて縦方向に並べてパネルに固定した状態を前面側から見た斜視図および複数のセンサ本体部を互いに近接させて縦方向に並べてパネルに固定した状態を背面側から見た斜視図である。
【符号の説明】
１００  電子機器取付け具
１１０ａ，１１０ｂ  係合部
１２０ａ，１２０ｂ  側面部
１２１ａ，１２１ｂ  開口部
１２２  当接部
１２３  開口領域
１３０ａ，１３０ｂ  連結部
２００  センサ本体部
２０２  前面
２０３  背面
２０４  側面
２０５  端面
２０６  ケーブル取付け部
２０７  フランジ
３００  パネル
３０１  開口
【図１】
2004342994.tif 000003
【図２】
2004342994.tif 000004
【図３】
2004342994.tif 000005
【図４】
2004342994.tif 000006